(57)【要約】【課題】  液晶パネルを保持するためのフレーム等の部材を不要とし、部品点数を削減して小型化を図ることができる光学装置及びプロジェクタを得る。【解決手段】  色光を画像情報に応じて変調する液晶パネル２３をダイクロイックプリズム２１の光入射の三面に対峙し、保持部材３２を介して一体に設けられる光学プリズムユニットからなる光学装置であって、保持部材３２が断面「Ｕ」字形状の可撓性を有する金属性のフィルム状の部材からなる保持部材３２により、ダイクロイックプリズム２１と液晶パネル２３の画像形成領域以外のパネル外周部のガラス面とを接着して仮固定する。その後、液晶パネル２３のフォーカス調整及びレジストレーション調整し、保持部材３２をＵＶ硬化型樹脂剤３６で固化することにより、光学プリズムユニットを構成するようにする。【選択図】  図６ 
2005215067.tif 000002
【特許請求の範囲】
【請求項１】
複数の色光を色光毎に画像情報に応じて変調する複数の液晶パネルと、上記液晶パネルで変調された各色光を合成するダイクロイックプリズムとを有し、上記ダイクロイックプリズムの光入射面の三面に対峙し、上記液晶パネルが保持手段を介してフォーカス調整及びレジストレーション調整されて一体に設けられる光学プリズムユニットからなる光学装置であって、
上記保持手段が可撓性を有する部材からなり、上記ダイクロイックプリズムと上記液晶パネルの画像形成領域以外のパネル外周部のガラス面とを複数の上記保持手段で接着して仮固定し、上記液晶パネルのフォーカス調整及びレジストレーション調整後に上記保持手段を硬化型樹脂剤で固化し上記光学プリズムユニットを構成することを特徴とする光学装置。
【請求項２】
上記保持手段は表裏両面に加圧接着性の両面接着テープを貼り付け、上記ダイクロイックプリズムに上記液晶パネルを接着し、仮固定するようにしたことを特徴とする請求項１記載の光学装置。
【請求項３】
上記硬化型樹脂剤がＵＶ硬化型樹脂であることを特徴とする請求項１記載の光学装置。
【請求項４】
上記保持手段は断面「Ｕ」字形状をした箔板状のフィルム材であることを特徴とする請求項１記載の光学装置。
【請求項５】
複数の色光を色光毎に画像情報に応じて変調する複数の液晶パネルと、上記液晶パネルで変調された各色光を合成するダイクロイックプリズムとを有し、上記ダイクロイックプリズムの光入射面の三面に対峙し、上記液晶パネルが保持手段を介してフォーカス調整及びレジストレーション調整されて一体に設けられる光学プリズムユニットからなる光学装置の製造方法であって、
上記保持手段が可撓性を有する部材からなり、上記ダイクロイックプリズムと上記液晶パネルの画像形成領域以外のパネル外周部のガラス面とを複数の上記保持手段で接着し仮固定する工程と、
上記ダイクロイックプリズムの光入射面に対して上記液晶パネルをフォーカス調整及びレジストレーション調整する工程と、
上記液晶パネルのフォーカス調整及びレジストレーション調整後に上記保持手段を硬化型樹脂剤で固化する工程と、
により光学プリズムユニットを構成することを特徴とする光学装置の製造方法。
【請求項６】
上記保持手段による上記ダイクロイックプリズムと上記液晶パネルとの仮固定は、加圧性接着剤からなる両面接着テープを用いて接着し固定されることを特徴とする請求項５記載の光学装置の製造方法。
【請求項７】
複数の色光を色光毎に画像情報に応じて変調する複数の液晶パネルと、上記液晶パネルで変調された各色光を合成するダイクロイックプリズムとを有し、上記ダイクロイックプリズムの光入射面の三面に対峙し、上記液晶パネルが保持手段を介してフォーカス調整及びレジストレーション調整されて一体に設けられる光学プリズムユニットと、
上記ダイクロイックプリズムによって形成された画像を投写する投写レンズと、
を備えたプロジェクタであって、
上記保持手段が可撓性を有する素材からなり、上記ダイクロイックプリズムと上記液晶パネルの画像形成領域以外のパネル外周部のガラス面とを複数の上記保持手段で接着して仮固定し、上記液晶パネルのフォーカス調整及びレジストレーション調整後に上記保持手段を硬化型樹脂剤で固化し上記光学プリズムユニットを構成することを特徴とするプロジェクタ。
【請求項８】
上記保持手段は表裏両面に加圧接着性の両面接着テープを貼り付け、上記ダイクロイックプリズムに上記液晶パネルを接着し固定するようにしたことを特徴とする請求項７記載のプロジェクタ。
【請求項９】
上記硬化型接着剤がＵＶ硬化樹脂であることを特徴とする請求項７記載のプロジェクタ。
【請求項１０】
上記保持手段が断面「Ｕ」字形状をした箔板状のフィルム材であることを特徴とする請求項７記載のプロジェクタ。
【発明の詳細な説明】
【技術分野】
【０００１】
本発明は、複数の色光を色光毎に画像情報に応じて変調する液晶パネルと、液晶パネルで変調された色光を合成するダイクロイックプリズムとが一体化された光学装置、光学装置の製造方法及び、この光学装置を採用したプロジェクタに関する。
【背景技術】
【０００２】
従来から、光源から射出された光束をダイクロイックミラー等を用いた色分離光学系によって三原色の赤、緑、青の色光に分離すると共に、液晶パネルにより色光毎に画像情報に応じて変調し、画像変調後の各色光をダイクロイックプリズムで合成し、投写レンズを介してカラー画像を拡大投写する、いわゆる三板式のプロジェクタが知られている。（例えば、特許文献１参照。）
【０００３】
上述したプロジェクタでは、各液晶パネルは投写レンズのバックフォーカスの位置になければならない。また、１個の表示画素は赤、緑、青の三原色の混色により形成されるので、より鮮明な画像を得るために各表示パネル間での画素ずれ、投写レンズからの距離のずれの発生を防止する必要がある。このため、プロジェクタの製造時において、各液晶パネルを投写レンズのバックフォーカスの位置に正確に配置するフォーカス調整、各液晶パネルの画素を一致させるレジストレーション調整を行わなければならない。
【０００４】
このため、従来では液晶パネルのフォーカス調整やレジストレーション調整を行った後、ダイクロイックプリズムの光入射面に対峙するように液晶パネルを一体に固定する光学装置が採用されている。
【０００５】
このようなダイクロイックプリズムと液晶パネルとを一体化した従来の光学装置としては、液晶パネルが収納される保持枠の四隅に孔を形成し、この４つの孔に対応してダイクロイックプリズム側の四隅に４つのピンが突設された保持部材を接着剤等で固定し、保持部材のピンに保持枠の孔を挿入すると共に、孔内に接着剤を充填した状態においてダイクロイックプリズムの光入射面に対して液晶パネルのレジストレーション調整等を行い、調整の後、接着剤を固化し液晶パネルを固定する、いわゆるピンスペーサ方式（ＰＯＰ：ピン・オン・プリズム）構造のものがある。
【特許文献１】特開２００３−１２１９３１号公報
【発明の開示】
【発明が解決しようとする課題】
【０００６】
しかしながら、上述したピンスペーサ方式構造の光学装置は、液晶パネルを収納するための保持枠が必要であることや、ピン及びピンが突設される保持部材が必要であることから部品点数が多く構造も複雑となるため、製造が困難であるといった問題があった。そして、このような問題は光学装置の小型化指向に対して阻害要因となり、かつ製造コストの増加につながる可能性も多かった。
【０００７】
本発明は、かかる問題に鑑み、ダイクロイックプリズムと液晶パネルを一体化して、光学装置の小型化を図ると共に、プロジェクタの小型化を図ることを目的とするものである。
【課題を解決するための手段】
【０００８】
上記の課題を解決し、本発明の目的を達成するため、本発明による請求項１記載の光学装置は、色光を画像情報に応じて変調する液晶パネルをダイクロイックプリズムの光入射面の三面に対峙し、保持手段を介して一体に設けられる光学プリズムユニットからなる光学装置であって、保持手段が可撓性を有する素材からなり、ダイクロイックプリズムと液晶パネルの画像形成領域以外のパネル外周部のガラス面とを保持手段で接着して仮固定し、液晶パネルのフォーカス調整及びレジストレーション調整後に保持手段を硬化型樹脂剤で固化し光学プリズムユニットを構成することを特徴とする。
【０００９】
また、本発明による請求項５記載の光学装置の製造方法は、色光を画像情報に応じて変調する液晶パネルをダイクロイックプリズムの光入射面の三面に対峙し、保持手段を介して一体に設けられる光学プリズムユニットからなる光学装置であって、保持手段が可撓性を有する部材からなり、ダイクロイックプリズムと液晶パネルの画像形成領域以外のパネル外周部のガラス面とを複数の保持手段で接着し仮固定する工程と、ダイクロイックプリズムの光入射面に対して液晶パネルをフォーカス調整及びレジストレーション調整する工程と、液晶パネルのフォーカス調整及びレジストレーション調整後に保持手段を硬化型樹脂剤で固化する工程とにより光学プリズムユニットを構成することを特徴とする。
【００１０】
また、本発明による請求項５記載のプロジェクタ、色光を画像情報に応じて変調する液晶パネルをダイクロイックプリズムの光入射の三面に対峙し、保持部材を介してフォーカス調整及びレジストレーション調整されて一体に設けられる光学プリズムユニットと、ダイクロイックプリズムによって形成された画像を投写する投写レンズとを備えたプロジェクタにおいて、保持手段が可撓性を有する部材からなり、ダイクロイックプリズムと液晶パネルの画像形成領域以外のパネル外周部のガラス面とを保持手段で接着して仮固定し、液晶パネルのフォーカス調整及びレジストレーション調整後に保持手段を硬化型樹脂剤で固化し光学プリズムユニットを構成することを特徴とする。
【発明の効果】
【００１１】
本発明の光学装置、光学装置の製造方法及びプロジェクタによれば、ダイクロイックプリズムの光入射面に液晶パネル自体を保持手段によって一体化できるようにしたので、液晶パネルを保持するためのフレーム等の部材が不要となり、これによって、部品点数が削減できることから光学装置の小型化はもとよりプロジェクタの小型化を図ることができる。また、液晶パネル自体が外環境に露出できるので、液晶パネルの冷却効果も向上することができる。
【発明を実施するための最良の形態】
【００１２】
以下、本発明による光学装置、光学装置の製造方法及びプロジェクタの最良の形態を、液晶パネルが三板式の液晶プロジェクタを例にとって図面を参照して説明する。
【００１３】
図１は液晶プロジェクタの光学系を模式的に示した全体図である。
液晶プロジェクタ１は光源２及びインテグレータレンズ３，４で構成された光源ランプユニットと、全反射ミラー５，６，７，１０、赤色光及び緑色光を反射し青色光のみを透過するダイクロイックミラー８、緑色光のみを反射するダイクロイックミラー９、集光レンズ１１，１２，１３，１４，１５で構成され、光源２からの白色光を赤、青、緑に色分解し、色分解された各色を集光する照射光学ユニットと、青色、緑色及び赤色にそれぞれ対応し集光された光を画像情報に応じて変調する三つの青色用の液晶パネル２２，緑色用の液晶パネル２３，赤色用の液晶パネル２４及び変調された各光を色合成するダイクロイックプリズム２１からなる光学プリズムユニット２０と、色合成された光を拡大投影する投射レンズからなる投影光学ユニット１６で構成されている。
【００１４】
上述した液晶プロジェクタ１によれば、光源２から出射された白色光は、照射光学ユニットにより青色、緑色及び赤色の三原色に色分解され、それぞれ対応する液晶パネル２２，２３，２４で変調され、それぞれ青色用の画像、緑色用の画像及び赤色用の画像が形成される。そして、液晶パネル２２，２３，２４により形成された各画像は、ダイクロイックプリズム２１により合成され、合成されたカラー画像は投影光学ユニット１６によりスクリーン１７上へ投影されるようになっている。
【００１５】
各液晶パネル２２，２３，２４は、ダイクロイックプリズム２１の三面の光入射面２１ａ，２１ｂ，２１ｃに後述する本発明の特徴部分である保持手段３０を介在し、それぞれ所定の間隔を隔てて対峙され、フォーカス調整及びレジストレーション調整された状態にして一体に固定されている。
【００１６】
図２にダイクロイックプリズム２１と、各液晶パネル２２，２３，２４と、保持手段３０とをそれぞれ分離した外観斜視図を示す。
【００１７】
ここで、液晶パネル２２，２３，２４の構造は同一であるので、以下、液晶パネル２３を例にとって説明する。液晶パネル２３は駆動基板（例えば、複数のライン上の電極と、画素を構成する電極と、これらの間に電気的に接続されたＴＦＴ素子とが形成されたガラス基板）２３Ａと、対向基板（例えば、共通電極が形成されたガラス基板）２３Ｂとの間に液晶が封入されたものであり、これらのガラス基板の間から信号制御用のフレキ基板２３Ｃが引き出されているものである。なお、液晶パネル２３の対向基板２３Ｂ側の外面に塵埃等の付着を防止するための透明ガラスからなる保護カバー３１が貼り付けられている。
【００１８】
以下に保持手段３０の幾つかの実施の形態を詳細に説明する。
〔保持手段３０の第１の実施の形態〕
保持手段３０としては本発明の最良の形態では、図４の（ａ）に示すように断面が「Ｕ」字形状を有した、例えば、厚みが０．１ｍｍ前後の銅箔板またはアルミ箔板等の、いわゆるフィルム状の金属箔板材あるいはプラスチックフィルム材からなる保持部材３２が用いられる。保持部材３２は対向し合う二片の平坦部３２ａ，３２ｂと、両平坦部３２ａ，３２ｂを連繋している半円弧状の曲面部３２ｃから構成され、この保持部材３２の曲面部３２ｃの部分が多方向に自在に撓む可撓性を有している。
【００１９】
また、保持部材３２は図４の（ｂ）に示すように対向し合う二片の平坦部３２ａ，３２ｂを、その開放端側の幅を細くしたような形状であってもよい。
【００２０】
次に、保持部材３２を使用してダイクロイックプリズム２１に液晶パネル２３を一体に固定する手順を図３を参照して説明する。ダイクロイックプリズム２１にはその上下面部に台座３３ａ，３３ｂが取り付けられ、上面部の台座３３ａにはダイクロイックプリズム２１をプロジェクタに保持するためのホルダ３４が一体に設けられている。
【００２１】
保持部材３２には予め平坦部３２ａ，３２ｂの外面側に接着剤が形成されている。一例として市販の両面接着テープを使用し、一方の面の剥離紙を剥がして平坦部３２ａ，３２ｂの外面側に接着テープを貼り付けた後、他方の剥離紙を剥がすことによって接着剤層３５（図５参照）を形成することができる。
【００２２】
このように接着剤が形成された保持部材３２は、他方の平坦部３２ｂをダイクロイックプリズム２１の四隅の予め決められた位置に四つ接着固定される。保持部材３２の向きは両平坦面３２ａ，３２ｂの開放端側がこの例では左右外側に向いている場合について示したが、開放端側が内側に向き合っていてもよく、あるいは開放端側が上向きや下向きに配置されていてもよい。そして、四つの各保持部材３２に対して液晶パネル２３の駆動基板２３Ａを保持部材３２の一方の平坦部３２ａの接着剤層に重ね合わせて接着する。この際、液晶パネル２３が保持部材３２と接着される位置は、図２で示すと液晶パネル２２の画像形成領域２２ａ以外の外側の外周部２２ｂの四隅である。
【００２３】
また、液晶パネル２３を保持部材３２の一方の平坦部３２ａに重ね合わせるとき、保持部材３２の両平坦部３２ａ，３２ｂの間にこれとほぼ同じ幅の図示しないスペーサを挟み込むことで、平坦部３２ａが撓むことなく液晶パネル２３の接着を確実に行うことができる。なお、保持部材３２は一方の平坦部３２ａを最初に液晶パネル２３の外周面２２ｂの四隅に貼り付けた後、保持部材３２の他方の平坦部３２ｂをダイクロイックプリズム２１に貼り付けることもできる。
【００２４】
図５はダイクロイックプリズム２１の各光入射面２１ａ，２１ｂ，２１ｃに保持部材３２によって各液晶パネル２２，２３，２４を接着固定した状態の平面図であり、この各液晶パネル２２，２３，２４が保持部材３２に接着固定された状態は、フォーカス調整やレジストレーション調整前の仮固定である。なお、図５において接着剤層は図示を省略している。
【００２５】
ここで、各液晶パネル２２，２３，２４は図示しない治具によりハンドリングされてバックフォーカスの位置を正確に配置するフォーカス調整と、各液晶パネル２２，２３，２４の各画素を一致させるレジストレーション調整を各液晶パネル同時に行われる。
【００２６】
このフォーカス調整とレジストレーション調整の様子を図３に基づいて説明すると、投写レンズの光軸Ｌ方向をＺ軸とし、これと直交する２軸をＸ軸、Ｙ軸とした時、フォーカス調整にはＺ軸方向、Ｘ軸を中心とした回転方向（Ｘθ方向）、Ｙ軸を中心とした回転方向（Ｙθ方向）の調整が行われる。また、レジストレーション調整にはＸ軸方向、Ｙ軸方向及びＸＹ面内における回転方向（θ方向）、Ｘ軸方向、Ｙ軸方向のアオリ角調整が行われる。すなわち、液晶パネル２２，２３，２４の上述したような位置調整に順応し保持部材３２はその曲面部３２ｃが多方向に自在に撓み、液晶パネルを精度よく位置決めすることができる。
【００２７】
このように各液晶パネル２２，２３，２４が位置調整された後、液晶パネルの位置を保持した状態、つまり、保持部材３２の曲面部３２ｃが所定の形状に撓んだ状態のまま、図６に示すように保持部材３２のＵ字形状の内曲面側（図の実線矢印方向）からプリズム及び液晶パネルの一部に亘ってＵＶ（紫外線）硬化型樹脂３６を膜状に吹き付け等により塗布する。このＵＶ硬化型樹脂３６の膜厚ｂは保持部材３２の厚みａとほぼ同じ０．１ｍｍ位が好適である。
【００２８】
このように、ＵＶ硬化型樹脂３６をＵＶ照射することにより、ＵＶ硬化型樹脂３６が硬化し、これによって、保持部材３２は液晶パネル２２，２３，２４が位置調整されたときの撓んだ形状を維持した姿勢のまま固化される。従って、ＵＶ硬化型樹脂３６が硬化された後は、液晶パネルから図示しない治具を離しても、各液晶パネル２２，２３，２４はダイクロイックプリズム２１の各光入射面２１ａ，２１ｂ，２１ｃに対してフォーカス調整やレジストレーション調整された状態で一体化されることになる。
【００２９】
保持部材３２に吹き付け等により塗布されるＵＶ硬化型樹脂３６は、上述したように保持部材３２のＵ字形状の内面側から塗布し固化することが、保持部材３２の形状姿勢を維持するために最も効果的であるが、保持部材３２のＵ字形状の内曲面側から吹き付け等により塗布すると同時に、ここでは図示しないがＵ字形状の外曲面側（図の破線矢印方向）から塗布してもよい。このようにＵ字形状の内曲面側と外曲面側の両方か塗布することにより、さらに保持部材３２を強固に固化することができる。保持部材３２の外曲面側から塗布する場合もＵＶ硬化型樹脂の膜厚は０．１ｍｍ位程度が好適である。
【００３０】
また、図示しないが保持部材３２の平坦面３２ａ，３２ｂに少なくとも一つの貫通する孔を開けたものを使用することにより、ＵＶ硬化型樹脂３６の塗布の際に、ＵＶ硬化型樹脂が孔から図６に示した接着剤層３５に達し、これによって、ダイクロイックプリズム及び液晶パネルと保持部材との接合強度をさらに高めることができる。
【００３１】
また、保持部材３２はフィルム状の金属材あるいはプラスチックフィルム材に限ることなく、例えば、可撓性を有するＵ字形状の繊維状の保持部材を使用してもよい。特に、繊維状の保持部材を使用する場合は、比較的に粘性の低いＵＶ硬化型樹脂の吹き付けにより、ＵＶ硬化型樹脂が繊維の隙間に浸透すると共に接着剤層に達し、樹脂が硬化したときに保持部材の形状が安定し、かつダイクロイックプリズム及び液晶パネルと保持部材との接合強度を高めることができるという効果がある。
【００３２】
上述したように第１の実施の形態では、液晶パネルの画像形成領域以外の外周のガラス面とダイクロイックプリズム２１とを可撓性を有するＵ字形状の四つの保持部材３２を介して接着して仮固定し、ダイクロイックプリズム２１に対して液晶パネルをＸ、Ｙ、Ｚ軸及びθ方向あるいはＸ、Ｙ、Ｚ軸におけるアオリ方向に動かし、保持部材３２の曲面部３２ｃが撓むことを利用してフォーカス調整及びレジストレーション調整した後、保持部材３２にＵＶ硬化型樹脂を吹き付け等により塗布し、これをＵＶ硬化させてダイクロイックプリズム２１と液晶パネルとの一体化を図るようにしたことで、従来のような液晶パネルを保持するためのフレームが一切必要なく、これによって、部品点数が削減できることから光学装置の小型化はもとよりプロジェクタの小型化を図ることができる。
【００３３】
また、本発明は液晶パネルのガラス面の四隅をダイクロイックプリズム２１と四つの保持部材３２で一体化され、液晶パネル自体が外環境に露出している構造であるので、プロジェクタの動作中、高温となる液晶パネルを冷却するためのファンからの風が例えば、図７に示す実線矢印のように下方から上方へ流れる構造のファンの場合、ファンからの送風によって液晶パネル２３を効果的に冷却することができる。また、図７に示す二点破線矢印のように右方から左方へ流れる構造のファンの場合では、ファンからの送風によって液晶パネル２３を効果的に冷却することができる。
【００３４】
〔保持手段３０の第２の実施の形態〕
図８は保持手段３０として第１の実施の形態の保持部材３２とは異なる実施の形態の保持部材３７を用いた例を示したものである。図３で説明した第１の実施の形態と同一部分には同じ符号を付して説明する。
【００３５】
この保持部材３７は第１の実施の形態の保持部材３２と同様に断面がＵ字形状を有し、厚みが０．１ｍｍ前後の銅箔板またはアルミ箔板等の、いわゆるフィルム状の金属箔板材あるいはプラスチックフィルム材からできている。保持部材３７はこの例では、ダイクロイックプリズム２１の光入射面２１ｂの左右側部に縦向きにほぼ全長に亘って配置されるようにした左右一対の構造である。この場合の保持部材３７も両平坦部３７ａ，３７ｂの外面側に両面接着テープが形成されており、他方の平坦部３７ｂがダイクロイックプリズム２１に接着により仮固定される。従って、保持部材３７，３７には一方の平坦部３７ａに液晶パネル２３の画像形成領域以外の外周の左右のガラス面に貼り付けられることになる。
【００３６】
上述した保持部材３７を使用した場合でも、液晶パネル２３のＸ、Ｙ、Ｚ軸及びθ方向あるいはＸ、Ｙ、Ｚ軸におけるアオリ方向の際、保持部材３７の曲面部３７ｃがこれに追従して撓み、液晶パネルのフォーカス調整及びレジストレーション調整を行うことができる。そして、液晶パネル２３のフォーカス調整及びレジストレーション調整後に、保持部材３７の内曲面全体に第１の実施の形態と同様にＵＶ硬化型樹脂を吹き付け等により塗布し、このＵＶ硬化型樹脂をＵＶ照射により固化させることでダイクロイックプリズム２１に対して液晶パネルのセットが完了するというものである。
【００３７】
このように構成した保持部材３７はダイクロイックプリズム２１と液晶パネル２３の左右部分のほぼ全長に亘って配置されることで、ダイクロイックプリズム２１及び液晶パネル２３と保持部材３７との接合面積を増すことになり、ダイクロイックプリズム２１と液晶パネル２３との一体化をより強固に行うことができる。
【００３８】
また、上述のように構成した保持部材３７は液晶パネル２３の画像形成領域外の左右部分に亘って配置されるので、液晶パネル２３を冷却するためのファンからの送風は矢印で示すように保持部材３７，３７の長手方向に沿って下方から上方へ通風することになる。
【００３９】
また、第２の実施の形態では保持部材３７をダイクロイックプリズム２１と液晶パネル２３との左右側部のほぼ全長に亘って配置した場合について説明したが、保持部材３７をダイクロイックプリズム２１と液晶パネル２３との上下部分に配置することであってもよい。この場合、液晶パネル２３を冷却するためのファンからの送風は保持部材の長手方向に沿って左右方向から通風することになる。
【００４０】
〔保持手段３０の第３の実施の形態〕
図９は保持手段３０としてさらに異なる実施の形態の保持部材３８を示し、図３で説明した第１の実施の形態と同一部分には同じ符号を付して説明する。
【００４１】
この保持部材３８は例えば、スポンジあるいはフェルト等の多孔質状な可撓性を有するキューブ状の部材からできている。この保持部材３８も両面に図示しないが両面接着テープが形成されており、ダイクロイックプリズム２１と液晶パネル２３のそれぞれの四隅が四つの保持部材３８により仮固定される。
【００４２】
上述した保持部材３８を使用した場合は、液晶パネル２３のＸ、Ｙ、Ｚ軸及びθ方向あるいはＸ、Ｙ、Ｚ軸におけるアオリ方向の調整では、保持部材３８の全体がこれに追従して撓み、液晶パネルのフォーカス調整及びレジストレーション調整を行うことができる。そして、液晶パネル２３のフォーカス調整及びレジストレーション調整後に、保持部材３８の内曲面全体に吹き付け等によりＵＶ硬化型樹脂を塗布する。この保持部材３８の場合は、多孔質状であるのでＵＶ硬化型樹脂は比較的に粘性の低い方がよく保持部材３８内に浸透することになる。この後、保持部材３８の表面からＵＶ照射することにより、保持部材内部にまで浸透しているＵＶ硬化型樹脂全体が固化し、ダイクロイックプリズム２１に対して液晶パネルの一体化が完了するというものである。
【００４３】
〔保持手段３０の第４の実施の形態〕
図９は保持手段３０としてさらに別の実施の形態の保持部材４０を示し、図３で説明した第１の実施の形態と同一部分には同じ符号を付して説明する。
【００４４】
この保持部材４０は金属あるいはプラスチック材からなるコイル状の部材からできている。この保持部材４０はコイル端面に図示しない両面接着テープが形成されており、ダイクロイックプリズム２１と液晶パネル２３とをそれぞれの四隅を四つの保持部材４０により仮固定される。
【００４５】
上述した保持部材４０を使用した場合は、液晶パネル２３のＸ、Ｙ、Ｚ軸及びθ方向あるいはＸ、Ｙ、Ｚ軸におけるアオリ方向の調整では、保持部材３８の全体がこれに追従して撓み液晶パネルのフォーカス調整及びレジストレーション調整を行うことができる。そして、液晶パネル２３のフォーカス調整及びレジストレーション調整後に、保持部材４０のコイル全体にＵＶ硬化型樹脂を吹き付け等により塗布する。この保持部材３８の場合は、ＵＶ硬化型樹脂は粘性の比較的高いものを使用することで、コイル線材間にＵＶ硬化型樹脂をまとわり着かせるようにする。この後、保持部材３８の表面からＵＶ照射することにより、ＵＶ硬化型樹脂が固化し、ダイクロイックプリズム２１に対して液晶パネルの一体化が完了するというものである。
【００４６】
本発明は、上述しかつ図面に示した実施の形態に限定されるものでなく、その要旨を逸脱しない範囲内で種々の変形実施が可能である。
【００４７】
保持手段３０は上述した各実施の形態のもの以外に、可撓性を有する部材で、ＵＶ硬化型樹脂が塗布された後、フォーカス調整及びレジストレーション調整されて撓み変形した保持手段３０がその形状をＵＶ照射により安定的に固化できる部材であればよい。
【００４８】
また、保持手段３０を安定的に固化するための硬化型樹脂としてＵＶ硬化型樹脂以外の例えば、通常の熱硬化型樹脂であってもよく、あるいは常温で乾燥性の速い硬化型樹脂を使用してもよい。
【図面の簡単な説明】
【００４９】
【図１】本発明の実施の形態におけるプロジェクタの光学系を模式的に示したブロック図である。
【図２】本発明の第１の実施の形態における保持部材を使用したときの光学プリズムユニットの要部を分離した状態の外観斜視図である。
【図３】同じく保持部材によりダイクロイックプリズムと液晶パネルとが仮固定され、液晶パネルをフォーカス調整及びレジストレーション調整される様子の外観斜視図である。
【図４】ａ  第１の実施の形態の保持部材の斜視図である。ｂ  同じく保持部材の変形例の斜視図である。
【図５】第１の実施の形態の保持部材によりダイクロイックプリズムの三面の光入射面に液晶パネルが一体化された状態の光学プリズムユニットの平面図である。
【図６】第１の実施の形態の保持部材をＵＶ硬化型樹脂により固化してダイクロイックプリズムと液晶パネルとを一体化した状態の平面図である。
【図７】同じく第１の実施の形態の保持部材を使用したときの液晶パネルの冷却風の流れを示した説明図である。
【図８】第２の実施の形態における保持部材によりダイクロイックプリズムと液晶パネルとが仮固定され、液晶パネルをフォーカス調整及びレジストレーション調整される様子の外観斜視図である。
【図９】第３の実施の形態における保持部材によりダイクロイックプリズムと液晶パネルとが仮固定され、液晶パネルをフォーカス調整及びレジストレーション調整される様子の外観斜視図である。
【図１０】第４の実施の形態における保持部材によりダイクロイックプリズムと液晶パネルとが仮固定され、液晶パネルをフォーカス調整及びレジストレーション調整される様子の外観斜視図である。
【符号の説明】
【００５０】
１…プロジェクタ、２１…ダイクロイックプリズム、２１ａ，２１ｂ，２１ｃ…光入射面、２２，２３，２４…液晶パネル、３０…保持手段、３２…第１の実施の形態の保持部材、３２ａ，３２ｂ…平坦面、３２ｃ…曲面部、３５…両面接着テープ、３６…ＵＶ硬化型樹脂、３７…第２の実施の形態の保持部材、３８…第３の実施の形態の保持部材、４０…第４の実施の形態の保持部材
【図１】
2005215067.tif 000003
【図２】
2005215067.tif 000004
【図３】
2005215067.tif 000005
【図４】
2005215067.tif 000006
【図５】
2005215067.tif 000007
【図６】
2005215067.tif 000008
【図７】
2005215067.tif 000009
【図８】
2005215067.tif 000010
【図９】
2005215067.tif 000011
【図１０】
2005215067.tif 000012